(57)【要約】【課題】複数の押ボタンが配列された押ボタンユニットを備える電子機器において、押ボタンユニットの誤った取付けを防止し、また、押ボタンユニットの取付けを容易にする。【解決手段】電子機器であるインターホン１は、複数の押ボタン２ａ〜２ｆが縦横に対称に配列された押ボタンユニット２と、押ボタンユニット２の押ボタン２ａ〜２ｆの押し操作によりスイッチングされるスイッチが実装される回路基板９と、押ボタンユニット２及び回路基板９を収納するフロントカバー１１を備える。押ボタンユニット２は、押ボタン２ａ〜２ｆに加えて、押ボタン２ａ〜２ｆを支持するための支持部２１を備え、支持部２２は、押ボタン２ａ〜２ｆの配列に対して非対称に設けられている。フロントカバー１１は、押ボタン２ａ〜２ｆの先端部が露出される開口１５ａ〜１５ｆと、支持部２１が当接されて押ボタンユニット２を位置決めする位置決め用リブ１６ａ、１６ｂを有する。【選択図】図２
2006120378.tif 000002
【特許請求の範囲】
【請求項１】
同一形状の複数の押ボタンが縦横に対称に配列された押ボタンユニットと、前記押ボタンユニットの各押ボタンの押し操作によりスイッチングされる複数のスイッチが実装される回路基板と、前記押ボタンユニット及び回路基板を収納し、前記押ボタンユニットの各押ボタンの先端部が露出される開口を有する筐体とを備えた電子機器において、
前記押ボタンユニットは、前記複数の押ボタンに加え、前記筐体と前記回路基板との間に挟まれ、前記複数の押ボタンを支持するための支持部と、前記複数の押ボタンを前記支持部に弾性的に連結する各押ボタン毎に設けられた撓み性を持つヒンジ部とを備え、
前記支持部は、前記押ボタンの配列に対して非対称に設けられており、該支持部の前記筐体との接触個所は前記各押ボタンに対して等間隔にあり、該支持部の前記各ヒンジ部との連結箇所に各ヒンジ部の実質的な長さを長くするための切欠きを有し、
前記筐体は、前記支持部が当接されて前記押ボタンユニットを位置決めする位置決め用リブを有し、
前記各押ボタンは、該押ボタンの前記ヒンジ部との連結箇所に前記ヒンジ部の実質的な長さを長くするための切欠きを有し、
前記各ヒンジ部は、同一形状であることを特徴とする電子機器。
【請求項２】
同一形状の複数の押ボタンが縦方向又は横方向に対称に配列された押ボタンユニットと、前記押ボタンユニットの各押ボタンの押し操作によりスイッチングされる複数のスイッチが実装される回路基板と、前記押ボタンユニット及び回路基板を収納し、前記押ボタンユニットの各押ボタンの先端部が露出される開口を有する筐体とを備えた電子機器において、
前記押ボタンユニットは、前記複数の押ボタンに加え、前記複数の押ボタンを支持するための支持部と、前記複数の押ボタンを前記支持部に弾性的に連結する撓み性を持つヒンジ部とを備え、
前記支持部は、前記押ボタンの配列に対して非対称に設けられており、
前記筐体は、前記支持部が当接されて前記押ボタンユニットを位置決めする位置決め用リブを有することを特徴とする電子機器。
【請求項３】
前記支持部は、前記筐体と前記回路基板との間に挟まれ、該支持部の前記筐体との接触個所が前記各押ボタンに対して等間隔にある請求項２に記載の電子機器。
【発明の詳細な説明】
【技術分野】
【０００１】
本発明は、複数の押ボタンが配列された押ボタンユニットを備えた電子機器に関するものである。
【背景技術】
【０００２】
従来から、例えばインターホン等の電子機器において、同一形状の複数の押ボタンを縦横に対称に配列したものがある。このような電子機器では、筐体は、各押ボタンの先端部を筐体外に露出させるための複数の押ボタン開口を有しており、各押ボタンは、個別化されていると共に、押ボタン先端部に動作や機能を示す各押ボタン毎に異なる印刷表示が施されている。筐体の各押ボタン開口は、同一形状であり、縦横に対称に配列されており、各押ボタンは、各押ボタンの先端部を印刷表示に該当する押ボタン開口に挿入し、押ボタンの先端部を押ボタン開口から露出させた状態で、樹脂製の別部品を用いて筐体内に保持するようになっている。
【０００３】
また、押ボタンが弾性復帰用の可撓片を介して枠体と連結された押ボタンユニットにおいて、可撓片近傍の押ボタンの裏面と枠体の裏面に夫々係止片と係止リブを突設し、係止片と係止リブの当接により、可撓片の塑性変形を防止するようにしたものが知られている（例えば、特許文献１参照）。また、押ボタンがランナー部によって連結された押ボタンユニットを備えた電子機器において、ケースの内側面にリブを設け、リブに形成された溝に押ボタンユニットのランナー部を係合させることにより、押ボタンユニットをケース内で位置決めするようにしたものが知られている（例えば、特許文献２参照）。さらに、複数個の押ボタンが細線より成るリブで繋がれて一体化された押ボタンユニットを備える電子機器において、押ボタンユニットの１つの押ボタンに凸部を設けると共に、この凸部と係合する凹部をハウジングに設け、押ボタンユニットの組立時に逆挿入を防止するようにしたものが知られている（例えば、特許文献３参照）。
【特許文献１】実開平３−１２８９７７号公報
【特許文献２】特開２０００−１３８０１７号公報
【特許文献３】実開昭６１−５１６２０号公報
【発明の開示】
【発明が解決しようとする課題】
【０００４】
ところが、上述した従来の電子機器においては、印刷表示の異なる同一形状の複数の押ボタンが個別化されているため、各押ボタンを筐体の該当する押ボタン開口に挿入する作業に時間がかかり、また、押ボタンを間違った押ボタン開口に挿入して組立ててしまうことがある。押ボタンを間違った押ボタン開口に挿入して組立ててしまうと、組立て直しにも時間がかかってしまう。さらに、各押ボタンの管理も大変であり、押ボタンの納品時に個々の押ボタンの印刷表示内容を確認しながらの数量確認作業や、出庫、入庫作業において、間違いを起こすことがある。
【０００５】
そこで、複数の押ボタンを一体的に連結した押ボタンユニットを作製し、その押ボタンユニットを筐体に取付けるようにすることが考えられる。このようにすれば、複数の押ボタンが一体化されているため、組立て作業の工数が少なくなり、組立て作業の時間を短くでき、また、部品点数も少なくなり、部品管理も容易となる。
【０００６】
しかしながら、同一形状の複数の押ボタンを縦横に対称に配列した構成にあっては、押ボタンの配列は１８０度回転しても同じであるため、複数の押ボタンを単純に連結した押ボタンユニットでは、押ボタンユニットを１８０度回転した誤った向きに取付けてしまう可能性がある。
【０００７】
従って、複数の押ボタンを連結した押ボタンユニットを筐体に取付ける構成を採用するにあたっては、押ボタンユニットを誤った向きに取付けてしまうことを防止する構造を有することが望まれる。また、押ボタンユニットを筐体に取付け易い構造とし、組立て作業性を向上できることも望まれる。
【０００８】
なお、上述した特許文献１及び特許文献２には、押ボタンユニットを誤った向きに取付けてしまうことを防止する構成が記載されておらず、これら特許文献１及び特許文献２に開示の内容を適用したとしても、上記の課題を解決することはできない。また、上述した特許文献３には、押ボタンユニットの１つの押ボタンに凸部を設けると共にハウジングに凹部を設けることにより、押ボタンユニットの逆挿入を防止する構成が記載されている。しかしながら、このような構成では、押ボタンの凸部及びハウジングの凹部は非常に小さいものとなり、そのような凸部と凹部は、組立てを行う作業者が目視認識し難く、また、係合させ難いため、組立て作業性の向上を望めない。従って、この特許文献３に開示の内容を適用したとしても、上記の課題を解決することはできない。
【０００９】
本発明は、上記課題を解決するためになされたものであり、押ボタンの管理がし易く、作業性があり、コストダウンを実現でき、また、押ボタンユニットの誤った向きでの取付けを防止できると共に、押ボタンユニットの取付けを容易にできる電子機器を提供することを目的とする。
【課題を解決するための手段】
【００１０】
上記目的を達成するために請求項１の発明は、同一形状の複数の押ボタンが縦横に対称に配列された押ボタンユニットと、押ボタンユニットの各押ボタンの押し操作によりスイッチングされる複数のスイッチが実装される回路基板と、押ボタンユニット及び回路基板を収納し、押ボタンユニットの各押ボタンの先端部が露出される開口を有する筐体とを備えた電子機器において、押ボタンユニットは、複数の押ボタンに加え、筐体と回路基板との間に挟まれ、複数の押ボタンを支持するための支持部と、複数の押ボタンを支持部に弾性的に連結する各押ボタン毎に設けられた撓み性を持つヒンジ部とを備え、支持部は、押ボタンの配列に対して非対称に設けられており、該支持部の筐体との接触個所は各押ボタンに対して等間隔にあり、該支持部の各ヒンジ部との連結箇所に各ヒンジ部の実質的な長さを長くするための切欠きを有し、筐体は、支持部が当接されて押ボタンユニットを位置決めする位置決め用リブを有し、各押ボタンは、該押ボタンのヒンジ部との連結箇所にヒンジ部の実質的な長さを長くするための切欠きを有し、各ヒンジ部は、同一形状であるものである。
【００１１】
請求項２の発明は、同一形状の複数の押ボタンが縦方向又は横方向に対称に配列された押ボタンユニットと、押ボタンユニットの各押ボタンの押し操作によりスイッチングされる複数のスイッチが実装される回路基板と、押ボタンユニット及び回路基板を収納し、押ボタンユニットの各押ボタンの先端部が露出される開口を有する筐体とを備えた電子機器において、押ボタンユニットは、複数の押ボタンに加え、複数の押ボタンを支持するための支持部と、複数の押ボタンを支持部に弾性的に連結する撓み性を持つヒンジ部とを備え、支持部は、押ボタンの配列に対して非対称に設けられており、筐体は、支持部が当接されて押ボタンユニットを位置決めする位置決め用リブを有するものである。
【００１２】
請求項３の発明は、請求項２に記載の電子機器において、支持部は、筐体と回路基板との間に挟まれ、該支持部の筐体との接触個所が各押ボタンに対して等間隔にあるものである。
【発明の効果】
【００１３】
請求項１の発明によれば、複数の押ボタンは、ヒンジ部により支持部に連結されて押ボタンユニットとして一体化されているため、組立て作業の工数が少なくなり、組立て作業の時間を短くでき、また、部品点数も少なくなり、部品管理も容易となる。従って、作業の工数が減ることと、部品点数が減ることにより、コストダウンを実現できる。
【００１４】
しかも、筐体には、押ボタンユニットの支持部が当接されて押ボタンユニットを位置決めする位置決め用リブがあり、押ボタンユニットは、支持部が押ボタンの配列に対して非対称であるため、押ボタンユニットを正規の向きにして押ボタンユニットの支持部を筐体の位置決め用リブに当接させた場合にのみ、押ボタンユニットの各押ボタンが筐体の開口から露出される。従って、押ボタンユニットを誤った向きで筐体に取付けることを防止できる。さらに、押ボタンユニットが正規の向きであるか否かは、押ボタンユニットの押ボタンと支持部の位置関係、及び筐体の開口と位置決め用リブの配置関係から、押ボタンユニットを位置決め用リブに当接させる前に一目瞭然であり、また、押ボタンユニットの支持部を筐体の位置決め用リブに当接させるだけで、押ボタンユニットが位置決めされて、押ボタンユニットの各押ボタンを筐体の開口に露出させた状態に取付けることができる。従って、押ボタンユニットを誤った向きで筐体に取付けることを未然に防止できると共に、押ボタンユニットを容易に取付けることができ、組立て作業性が向上する。
【００１５】
また、押ボタンユニットの支持部が筐体と回路基板との間に挟まれることにより、押ボタンユニットの各押ボタンが筐体内に保持されるため、従来のように押ボタンを筐体内に保持するための別部品が不要となる。また、押ボタンユニットの支持部と筐体との接触個所が各押ボタンに対して等間隔にあると共に、各ヒンジ部が同一形状であるため、各押ボタンを押し操作したときのクリック感が全て同じになる。また、押ボタンユニットの支持部には、各ヒンジ部との連結箇所に各ヒンジ部の実質的な長さを長くするための切欠きがあり、各押ボタンには、各ヒンジ部との連結箇所に各ヒンジ部の実質的な長さを長くするための切欠きがあるため、各押ボタンを押し操作したときの各ヒンジ部の変形量が小さくて済み、これにより、各ヒンジ部の劣化を抑えることができ、押ボタンユニットを長寿命化することができる。
【００１６】
請求項２の発明によれば、複数の押ボタンは、ヒンジ部により支持部に連結されて押ボタンユニットとして一体化されているため、組立て作業の工数が少なくなり、組立て作業の時間を短くでき、また、部品点数も少なくなり、部品管理も容易となる。従って、作業の工数が減ることと、部品点数が減ることにより、コストダウンを実現できる。
【００１７】
しかも、筐体には、押ボタンユニットの支持部が当接されて押ボタンユニットを位置決めする位置決め用リブがあり、押ボタンユニットは、支持部が押ボタンの配列に対して非対称であるため、押ボタンユニットを正規の向きにして押ボタンユニットの支持部を筐体の位置決め用リブに当接させた場合にのみ、押ボタンユニットの各押ボタンが筐体の開口から露出される。従って、押ボタンユニットを誤った向きで筐体に取付けることを防止できる。さらに、押ボタンユニットが正規の向きであるか否かは、押ボタンユニットの押ボタンと支持部の位置関係、及び筐体の開口と位置決め用リブの配置関係から、押ボタンユニットを位置決め用リブに当接させる前に一目瞭然であり、また、押ボタンユニットの支持部を筐体の位置決め用リブに当接させるだけで、押ボタンユニットが位置決めされて、押ボタンユニットの各押ボタンを筐体の開口に露出させた状態に取付けることができる。従って、押ボタンユニットを誤った向きで筐体に取付けることを未然に防止できると共に、押ボタンユニットを容易に取付けることができ、組立て作業性が向上する。
【００１８】
請求項３の発明によれば、押ボタンユニットの支持部が筐体と回路基板との間に挟まれることにより、押ボタンユニットの各押ボタンが筐体内に保持されるため、従来のように押ボタンを筐体内に保持するための別部品が不要となる。また、押ボタンユニットの支持部と筐体との接触個所が各押ボタンに対して等間隔にあるため、各押ボタンを押し操作したときのクリック感が全て同じになる。
【発明を実施するための最良の形態】
【００１９】
以下、本発明を具体化した実施形態による電子機器について図面を参照して説明する。図１、図２、図３（ａ）（ｂ）は、電子機器であるインターホンの概略構成を示す。このインターホン１は、宅内の各部屋に設置されて、各部屋間での音声通話や異常発生時に通報等を行うための機器である。
【００２０】
インターホン１は、インターホン１の各種動作を選択するための動作選択用の６個の押ボタン２ａ〜２ｆと、動作選択用の押ボタン２ａ〜２ｆの押し操作により選択された動作内容を決定するための動作決定用の押ボタン３とを備える。また、インターホン１は、液晶表示部４と、ＬＥＤランプ５と、アラームランプ６と、マイク７と、スピーカ８と、インターホン１を動作させるための各種電子部品が実装される回路基板９と、動作選択用の押ボタン２ａ〜２ｆ、動作決定用の押ボタン３、及び回路基板９等を収納する筐体１０とを備える。
【００２１】
動作選択用の押ボタン２ａ〜２ｆは、押ボタンユニット２として一体化されており（図２参照）、各押ボタン２ａ〜２ｆは、同一形状であり、縦横（２行３列）に対称に配列されている。各押ボタン２ａ〜２ｆの先端部には、動作や機能を示す「子機１」「子機２」「子機３」「転送／外出」「在宅」「通報／停止」の文字が印刷表示されている。動作決定用の押ボタン３は、押ボタンユニット２と別体であり、動作選択用の押ボタン２ａ〜２ｆと異なる形状である。動作決定用の押ボタン３の先端部には、「呼出／決定」の文字が印刷表示されている。
【００２２】
回路基板９には、動作選択用の押ボタン２ａ〜２ｆの押し操作によりスイッチングされる複数のスイッチ６０（図３参照）、動作決定用の押ボタン３の押し操作によりスイッチングされるスイッチ（不図示）、インターホン１の各種動作を行うための各種電子部品や制御回路等（不図示）等が実装されている。
【００２３】
筐体１０は、フロントカバー１１と、ベース１２とを備えている。フロントカバー１１は、押ボタンユニット２の動作選択用の各押ボタン２ａ〜２ｆの先端部を露出させる開口１５ａ〜１５ｆと、押ボタンユニット２を位置決めする位置決め用リブ１６ａ、１６ｂと、動作決定用の押ボタン３の先端部を露出させる開口１７とを備える。開口１５ａ〜１５ｆは、同一形状であり、押ボタンユニット２の動作選択用の各押ボタン２ａ〜２ｆの配列に対応して、縦横に対称に配列されている。押ボタンユニット２及び押ボタン３は、筐体１０内に保持され、各押ボタン２ａ〜２ｆの先端部が開口１５ａ〜１５ｆから露出されると共に、押ボタン３の先端部が開口１７から露出される。
【００２４】
図４（ａ）（ｂ）、図５（ａ）〜（ｅ）は、上記押ボタンユニット２の概略構成を示す。押ボタンユニット２は、動作選択用の６個の押ボタン２ａ〜２ｆに加え、押ボタン２ａ〜２ｆを支持するための支持部２１と、押ボタン２ａ〜２ｆを支持部２１に連結する各押ボタン２ａ〜２ｆ毎に１対ずつ設けられた複数のヒンジ部２２ａ〜２２ｆとを備える。
【００２５】
動作選択用の押ボタン２ａ〜２ｆは、上述のように、同一形状であり、縦横（２行３列）に対称に配置されている。各押ボタン２ａ〜２ｆは、回路基板９に実装されたスイッチ６０をスイッチング動作させるための突起部３１を有しており、また、各ヒンジ部２２ａ〜２２ｆとの連結箇所に、ヒンジ部２２ａ〜２２ｆの実質的な長さを長くするための切欠き３２を有している。
【００２６】
支持部２１は、ヒンジ部２２ａ〜２２ｆを介して各押ボタン２ａ〜２ｆを支持している。支持部２１は、各押ボタン２ａ〜２ｆを支持する役割に加え、押ボタンユニット２を位置決めする役割を持っており、このため、押ボタン２ａ、２ｂ、２ｃを囲んで枠状に、すなわち押ボタン２ａ〜２ｆの配列に対して非対称に設けられている。支持部２１は、各ヒンジ部２２ａ〜２２ｆとの連結箇所に、ヒンジ部２２ａ〜２２ｆの実質的な長さを長くするための切欠き４１を有している。各ヒンジ部２２ａ〜２２ｆは、同一形状であり、撓み性を持ち、各押ボタン２ａ〜２ｆを支持部２２に弾性的に連結している。
【００２７】
このような構成の押ボタンユニット２は、支持部２１を上記フロントカバー１１の位置決め用リブ１６ａ、１６ｂ（図２、図３（ａ）（ｂ）参照）の内側に嵌め込み、押ボタンユニット２の裏面側から回路基板９をビス７０によりビス止めすることにより、フロントカバー１１に取付けられる。
【００２８】
位置決め用リブ１６ａ、１６ｂは、押ボタンユニット２の支持部２１を嵌め込んだときに、支持部２１がＸ方向（左右方向）及びＹ方向（上下方向）に位置ずれを起こさない形状になっており、また、押ボタンユニット２を正規の向きにして支持部２１を嵌め込んだときに、押ボタンユニット２の各押ボタン２ａ〜２ｆがフロントカバー１１の開口１５ａ〜１５ｆから露出する位置に形成されている。
【００２９】
従って、押ボタンユニット２は、支持部２１を位置決め用リブ１６ａ、１６ｂの内側に嵌め込むことにより、支持部２１の外側面が位置決め用リブ１６ａ、１６ｂの内側面に当接し、これにより、Ｘ方向（左右方向）及びＹ方向（上下方向）に位置決めされ、押ボタンユニット２が正規の向きである場合には、各押ボタン２ａ〜２ｆの先端部がフロントカバー１１の開口１５ａ〜１５ｆから露出された状態となる。このとき、押ボタンユニットが１８０度回転した誤った向きである場合には、支持部２１が押ボタン２ａ〜２ｆの配列に対して非対称に設けられているため、各押ボタン２ａ〜２ｆの先端部は開口１５ａ〜１５ｆから露出されない。
【００３０】
また、押ボタンユニット２は、支持部２１を位置決め用リブ１６ａ、１６ｂの内側に嵌め込んだ後、回路基板９をビス７０によりビス止めすることにより、各押ボタン２ａ〜２ｆの先端部がフロントカバー１１の開口１５ａ〜１５ｆから露出された状態で、支持部２１がフロントカバー１１と回路基板９との間に挟まれ、すなわちＺ方向（前後方向）に位置決めされ、これにより、フロントカバー１１に固定される。
【００３１】
なお、支持部２１は、フロントカバー１１と回路基板９との間に挟まれたときにフロントカバー１１と接触する複数の接触面２９ａ〜２９ｆ（図４（ａ）（ｂ）、図５（ａ）〜（ｅ）参照）を有しており、接触面２９ａ〜２９ｆは、押ボタン２ａ〜２ｆに対して等間隔に設けられている。従って、支持部２１は、フロントカバー１１と回路基板９との間に挟まれたとき、押ボタン２ａ〜２ｆに対して等間隔でフロントカバー１１と接触する。
【００３２】
このようにして取付けられた押ボタンユニット２は、フロントカバー１１の外側から動作選択用の押ボタン２ａ〜２ｆが押されることにより、ヒンジ部２２ａ〜２２ｆが撓んで押ボタン２ａ〜２ｆが移動し、回路基板９に実装されたスイッチ６０が押圧されてスイッチング動作する。インターホン１は、上記のように押ボタンユニット２を取付け、また、押ボタン３を不図示の保持部材を用いて取付けた後、ベース１２をビス８０によりビス止めすることにより、組立てられる。
【００３３】
このような構成のインターホン１によれば、動作選択用の６個の押ボタン２ａ〜２ｆは、ヒンジ部２２ａ〜２２ｆにより支持部２１に連結されて押ボタンユニット２として一体化されているため、組立て作業の工数が少なくなり、組立て作業の時間を短くでき、また、部品点数も少なくなり、部品管理も容易となる。従って、作業の工数が減ることと、部品点数が減ることにより、コストダウンを実現できる。
【００３４】
しかも、フロントカバー１１には、押ボタンユニット２の支持部２１が当接されて押ボタンユニット２を位置決めする位置決め用リブ１６ａ、１６ｂがあり、押ボタンユニット２は、支持部２１が押ボタン２ａ〜２ｆの配列に対して非対称であるため、押ボタンユニット２を正規の向きにして押ボタンユニット２の支持部２１をフロントカバー１１の位置決め用リブ１６ａ、１６ｂに嵌め込んだ場合にのみ、押ボタンユニット２の各押ボタン２ａ〜２ｆがフロントカバー１１の開口１５ａ〜１５ｆから露出される。従って、押ボタンユニット２を誤った向きでフロントカバー１１に取付けることを防止できる。
【００３５】
さらに、押ボタンユニット２が正規の向きであるか否かは、押ボタンユニット２の押ボタン２ａ〜２ｆと支持部２１の位置関係、及びフロントカバー１１の開口１５ａ〜１５ｆと位置決め用リブ１６ａ、１６ｂの配置関係から、押ボタンユニット２を位置決め用リブ１６ａ、１６ｂに嵌め込む前に一目瞭然である。また、押ボタンユニット２の支持部２１をフロントカバー１１の位置決め用リブ１６ａ、１６ｂに嵌め込むだけで、押ボタンユニット２が位置決めされて、押ボタンユニット２の各押ボタン２ａ〜２ｆをフロントカバー１１の開口１５ａ〜１５ｆに露出させた状態に取付けることができる。従って、押ボタンユニット２を誤った向きで筐体に取付けることを未然に防止できると共に、押ボタンユニット２を容易に取付けることができ、組立て作業性が向上する。
【００３６】
また、押ボタンユニット２の支持部２１がフロントカバー１１と回路基板９との間に挟まれることにより、押ボタンユニット２の各押ボタン２ａ〜２ｆが保持されるため、従来のように押ボタンを筐体内に保持するための別部品が不要となる。また、押ボタンユニット２の支持部２１とフロントカバー１１との接触個所が各押ボタン２ａ〜２ｆに対して等間隔にあると共に、各ヒンジ部２２ａ〜２２ｆが同一形状であるため、各押ボタン２ａ〜２ｆを押し操作したときのクリック感が全て同じになる。
【００３７】
また、押ボタンユニット２の支持部２１には、各ヒンジ部２２ａ〜２２ｆとの連結箇所に各ヒンジ部２２ａ〜２２ｆの実質的な長さを長くするための切欠き４１があり、各押ボタン２ａ〜２ｆには、各ヒンジ部２２ａ〜２２ｆとの連結箇所に各ヒンジ部２２ａ〜２２ｆの実質的な長さを長くするための切欠き３２があるため、各ヒンジ部２２ａ〜２２ｆの変形量が小さくて済み、これにより、各ヒンジ部２２ａ〜２２ｆの劣化を抑えることができ、押ボタンユニット２を長寿命化することができる。
【００３８】
なお、本発明は、上記実施形態の構成に限られず、種々の変形が可能である。例えば、支持部２１は、支持部２１の外形を非対称な形状にして、押ボタンユニット２が正規の向きでない場合に、位置決め用リブ１６ａ、１６ｂに嵌め込むことができないようにしてもよい。また、支持部２１は、枠状に形成されていなくてもよく、例えば、コ字状、Ｌ字状に形成されていてもよい。押ボタンの配列は、２行３列に限られず、１行４列、３行３列等任意であってよい。また、本発明の電子機器は、インターホン１に限られず、ＡＶ機器、画像表示プロジェクタ、プリンタ等にも適用可能である。
【図面の簡単な説明】
【００３９】
【図１】本発明の一実施形態に係るインターホンの概略構成を示す斜視図。
【図２】同インターホンの構成を示す裏面側から見た組立前の斜視図。
【図３】同インターホンの構成を示す図１のＡ−Ａ線断面に相当する図であり、（ａ）は押ボタンユニットを取付けた状態の断面図、（ｂ）は同押ボタンユニットを取付ける前の断面図。
【図４】（ａ）は同インターホンの押ボタンユニットの構成を示す正面側から見た斜視図、（ｂ）は同押ボタンユニットの構成を示す裏面側から見た斜視図。
【図５】（ａ）同押ボタンユニットの構成を示す裏面図、（ｂ）は同平面図、（ｃ）は同正面図、（ｄ）は（ｂ）のＢ−Ｂ線断面図、（ｅ）は（ｃ）のＣ−Ｃ線断面図。
【符号の説明】
【００４０】
１    インターホン（電子機器）
２    押ボタンユニット
２ａ〜２ｆ    押ボタン
９    回路基板
１０    筐体
１１    フロントカバー
１２    ベース
１５ａ〜１５ｆ    開口
１６ａ、１６ｂ    位置決め用リブ
２１    支持部
２２ａ〜２２ｆ    ヒンジ部
３２    切欠き
４１    切欠き
６０    スイッチ
【図１】
2006120378.tif 000003
【図２】
2006120378.tif 000004
【図３】
2006120378.tif 000005
【図４】
2006120378.tif 000006
【図５】
2006120378.tif 000007